(57)【要約】【課題】プロジェクト画面に対するフィードバックや情報共有等を効果的に行うことが可能な技術を提供することを課題とする。【解決手段】携帯情報端末向けのウェブページ又はアプリケーションに関するプロジェクトの登録を受け付けるプロジェクト管理手段と、プロジェクトを携帯情報端末に配信する配信管理手段と、前記携帯情報端末からのフィードバックに関する投稿を受付ける投稿管理手段と、を備え、前記携帯情報端末は、配信されたプロジェクトのプロジェクト画面を表示するプロジェクト表示手段と、前記プロジェクト画面中のフィードバック箇所を指定する指定手段と、メッセージを投稿するメッセージ入力手段と、指定したフィードバック箇所とメッセージを紐づけて投稿する為の投稿手段とを備え、前記指定手段は、静止画像又は動画像の選択を受付け、選択された方法を用いてフィードバック箇所の指定を受付けることを特徴とする。【選択図】図１
2018190296.tif 000002
【特許請求の範囲】
【請求項１】
携帯情報端末向けのウェブページ又はアプリケーションに関するプロジェクトについて、デザインのフィードバックを行う為の開発支援システムであって、
プロジェクトの登録を受け付けるプロジェクト管理手段と、
登録されたプロジェクトを携帯情報端末に配信する配信管理手段と、
前記携帯情報端末からのフィードバックに関する投稿を受付ける投稿管理手段と、を備え、
前記携帯情報端末は、配信されたプロジェクトのプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、を備え、
前記指定手段は、静止画像又は動画像の選択を受付け、選択された方法を用いてフィードバック箇所の指定を受付けること、を特徴とすることを特徴とする開発支援システム。
【請求項２】
前記指定手段は、取得した静止画像又は動画像の任意位置にシェイプを重ね合わせ、フィードバック箇所の指定を行うこと、を特徴とする請求項１に記載の開発支援システム。
【請求項３】
前記シェイプは、少なくとも多角形シェイプ、円形シェイプおよび点指定シェイプを有し、
前記指定手段は、フィードバックに使用するシェイプの選択を受付け、任意位置へ重ね合わせてフィードバック箇所の指定を行うこと、を特徴とする請求項２に記載の開発支援システム。
【請求項４】
前記シェイプは、大きさの変更及び色の選択が可能であること、を特徴とする請求項２又は請求項３に記載の開発支援システム。
【請求項５】
前記投稿手段での投稿は、更に、投稿されるフィードバックの分類情報を有すること、を特徴とする請求項１〜４の何れかに記載の開発支援システム。
【請求項６】
前記メッセージ入力手段は、投稿するメッセージの入力に際して、ユーザが指定した前記フィードバック箇所に係る画像を併せて表示すること、を特徴とする請求項１〜５の何れかに記載の開発支援システム。
【請求項７】
前記携帯情報端末は、フィードバックに関する投稿を表示する投稿表示手段を備え、
前記投稿表示手段は、フィードバック箇所を表示する指定箇所表示部と、
当該フィードバックに際して投稿されたメッセージを表示する投稿表示部と、
フィードバック投稿に関するユーザからの反応を表示する反応表示部と、
自身又は他のユーザが入力したメッセージを表示するメッセージ表示部と、を表示させることを特徴とする請求項１〜６の何れかに記載の開発支援システム。
【請求項８】
前記携帯情報端末からのフィードバックに関する投稿を表示する投稿表示手段を有するユーザ端末を備え、
前記投稿表示手段は、フィードバック箇所を表示する指定箇所表示部と、
当該フィードバックに際して投稿されたメッセージを表示する投稿表示部と、
自身又は他のユーザが入力したメッセージを表示するメッセージ表示部と、
投稿されたフィードバックについての作業状況を分類する分類指定部と、を表示させることを特徴とする請求項１〜７の何れかに記載の開発支援システム。
【請求項９】
前記指定手段は、前記携帯情報端末が検出した運動量に基づいて、フィードバック箇所を表示した前記プロジェクト画面に対するフィードバック箇所の指定要求を受け付けることを特徴とする請求項１〜８の何れかに記載の開発支援システム。
【請求項１０】
前記携帯情報端末はタッチパネルを備え、
前記指定手段は、前記携帯情報端末が検出した前記タッチパネルに対する２接点以上での入力を伴う動作に基づいて、フィードバック箇所を表示した前記プロジェクト画面に対するフィードバック箇所の指定要求を受け付けることを特徴とする請求項１〜９の何れかに記載の開発支援システム。
【請求項１１】
携帯情報端末向けのウェブページ又はアプリケーションに関するプロジェクトについて、デザインのフィードバックを行う為の開発支援プログラムであって、
コンピュータが、配信されたプロジェクトのプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、として機能することを特徴とする開発支援プログラム。
【請求項１２】
携帯情報端末向けのウェブページ又はアプリケーションに関するプロジェクトについて、デザインのフィードバックを行う為の開発支援方法であって、
コンピュータは、プロジェクトの登録を受け付けるプロジェクト管理手段と、
登録されたプロジェクトを携帯情報端末に配信する配信管理手段と、
前記携帯情報端末からのフィードバックに関する投稿を受付ける投稿管理手段と、を有し、
前記携帯情報端末は、配信されたプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、を有することを特徴とする開発支援方法。
【発明の詳細な説明】
【技術分野】
【０００１】
本発明は、携帯情報端末向けのウェブページ又はアプリケーションに関し、プロジェクトについてデザインのフィードバックを行う為の開発支援システムに関する。
【背景技術】
【０００２】
ウェブページやアプリケーション等の開発プロジェクトに参加する設計者間や設計チーム間において、開発やその経過に係る情報を共有し、開発プロジェクトを円滑に実施する為の技術が、数々提案されている。
【０００３】
例えば、設計モデルに付ける設計メモを組織やソフトウェア開発プロジェクトを跨いで多数の関係者に共有化させるためのソフトウェア開発支援システムが知られている（特許文献１参照）。
【先行技術文献】
【特許文献】
【０００４】
【特許文献１】特開２０１０−２６７１５４号公報
【発明の概要】
【発明が解決しようとする課題】
【０００５】
近年、携帯情報端末（スマートフォン等）の普及に伴い、携帯情報端末向けのウェブページやアプリケーション等の開発が盛んにおこなわれている。こうした携帯情報端末向けのウェブページやアプリケーションは、利用者に提供される機能やその処理に加え、ユーザが目にする画面のデザイン性、操作性、等も極めて重要な要素である。しかしながら、従来の技術では、こうしたウェブページやアプリケーションの画面（以下、プロジェクト画面）に対するフィードバックや情報共有等を効率的に実施することはできない。
【０００６】
本発明は、上記のような実状に鑑みてなされたものであり、プロジェクト画面に対するフィードバックや情報共有等を効果的に行うことが可能な技術を提供することを課題とする。
【課題を解決するための手段】
【０００７】
上記課題を解決する為に、本発明は、携帯情報端末向けのウェブページ又はアプリケーションに関するプロジェクトについて、デザインのフィードバックを行う為の開発支援システムであって、
プロジェクトの登録を受け付けるプロジェクト管理手段と、
登録されたプロジェクトを携帯情報端末に配信する配信管理手段と、
前記携帯情報端末からのフィードバックに関する投稿を受付ける投稿管理手段と、を備え、
前記携帯情報端末は、配信されたプロジェクトのプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、を備え、
前記指定手段は、静止画像又は動画像の選択を受付け、選択された方法を用いてフィードバック箇所の指定を受付けること、を特徴とする。
【０００８】
このような構成とすることで、プロジェクト画面中の所望の箇所についてフィードバックを投稿し、その箇所に対する修正や改良の指示、アイデアの提示等を行うことができる。
【０００９】
本発明の好ましい形態では、前記指定手段は、取得した静止画像又は動画像の任意位置にシェイプを重ね合わせ、フィードバック箇所の指定を行うこと、を特徴とする。
このような構成とすることで、プロジェクト画面中のフィードバック箇所をより適切に指定してフィードバックを実施することができる。
【００１０】
本発明の好ましい形態では、前記シェイプは、少なくとも多角形シェイプ、円形シェイプおよび点指定シェイプを有し、
前記指定手段は、フィードバックに使用するシェイプの選択を受付け、任意位置へ重ね合わせてフィードバック箇所の指定を行うこと、を特徴とする。
このような構成とすることで、プロジェクト画面中のフィードバック箇所をより分かりやすく指定してフィードバックを実施することができる。
【００１１】
本発明の好ましい形態では、前記シェイプは、大きさの変更及び色の選択が可能であること、を特徴とする。
このような構成とすることで、プロジェクト画面中のフィードバック箇所をより分かりやすく指定してフィードバックを実施することができる。
【００１２】
本発明の好ましい形態では、前記投稿手段での投稿は、更に、投稿されるフィードバックの分類情報を有すること、を特徴とする。
このような構成とすることで、フィードバックの内容をより分かりやすく提示してフィードバックを実施することができる。
【００１３】
本発明の好ましい形態では、前記メッセージ入力手段は、投稿するメッセージの入力に際して、前記フィードバック箇所を併せて表示すること、を特徴とする。
このような構成とすることで、フィードバック箇所を確認しながらメッセージの入力を行うことができ、メッセージの入力を適切に行うことができる。
【００１４】
本発明の好ましい形態では、前記携帯情報端末は、フィードバックに関する投稿を表示する投稿表示手段を備え、
前記投稿表示手段は、フィードバック箇所を表示する指定箇所表示部と、
当該フィードバックに際して投稿されたメッセージを表示する投稿表示部と、
フィードバック投稿に関するユーザからの反応を表示する反応表示部と、
自身又は他のユーザが入力したメッセージを表示するメッセージ表示部と、を表示させることを特徴とする。
このような構成とすることで、投稿されたフィードバックを確認することができる。また、フィードバックに対するユーザからの返答や共感など、フィードバックに対する反応を投稿者に提示することで、フィードバックを行った投稿者のモチベーションを高めることができる。
【００１５】
本発明の好ましい形態では、前記携帯情報端末からのフィードバックに関する投稿を表示する投稿表示手段を有するユーザ端末を備え、
前記投稿表示手段は、フィードバック箇所を表示する指定箇所表示部と、
当該フィードバックに際して投稿されたメッセージを表示する投稿表示部と、
自身又は他のユーザが入力したメッセージを表示するメッセージ表示部と、
投稿されたフィードバックについての作業状況を分類する分類指定部と、を表示させることを特徴とする。
このような構成とすることで、投稿されたフィードバックを確認することができる。また、フィードバックされた内容に対する作業状況を分類することで、フィードバックされた内容の管理を効果的に行うことができる。
【００１６】
本発明の好ましい形態では、前記指定手段は、前記携帯情報端末が検出した運動量に基づいて、フィードバック箇所を表示した前記プロジェクト画面に対するフィードバック箇所の指定要求を受け付けることを特徴とする。
このような構成とすることで、フィードバック箇所の指定を行うユーザの操作性を高めることができる。
【００１７】
本発明の好ましい形態では、前記携帯情報端末はタッチパネルを備え、
前記指定手段は、前記携帯情報端末が検出した前記タッチパネルに対する２接点以上での入力を伴う動作に基づいて、フィードバック箇所を表示した前記プロジェクト画面に対するフィードバック箇所の指定要求を受け付けることを特徴とする。
このような構成とすることで、フィードバック箇所の指定を行うユーザの操作性を高めることができる。
【００１８】
本発明は、携帯情報端末向けのウェブページ又はアプリケーションに関するプロジェクトについて、デザインのフィードバックを行う為の開発支援プログラムであって、
コンピュータが、配信されたプロジェクトのプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、として機能することを特徴とする。
【００１９】
本発明は、携帯情報端末向けのウェブページ又はアプリケーションに関するプロジェクトについて、デザインのフィードバックを行う為の開発支援方法であって、
コンピュータは、プロジェクトの登録を受け付けるプロジェクト管理手段と、
登録されたプロジェクトを携帯情報端末に配信する配信管理手段と、
前記携帯情報端末からのフィードバックに関する投稿を受付ける投稿管理手段と、を有し、
前記携帯情報端末は、配信されたプロジェクト画面を表示するプロジェクト表示手段と、
起動した前記プロジェクトについて、前記プロジェクト画面中のフィードバック箇所を指定する指定手段と、
フィードバックに関するメッセージを投稿するメッセージ入力手段と、
前記指定手段で指定したフィードバック箇所と、前記メッセージとを、紐づけて投稿する為の投稿手段と、を有することを特徴とする。
【発明の効果】
【００２０】
本発明によれば、プロジェクト画面に対するフィードバックや情報共有等を効果的に行うことが可能な開発支援システムを提供することができる。
【図面の簡単な説明】
【００２１】
【図１】本発明の一実施形態に関る開発支援システムを示す図である。
【図２】本発明の一実施形態に関る開発支援サーバのハードウェア構成を示す図である。
【図３】本発明の一実施形態に関る開発支援システムの構成を示すブロック図である。
【図４】本発明の一実施形態に関るプロジェクトの一覧を表示した際の画面表示例である。
【図５】本発明の一実施形態に関るプロジェクト表示画面を表示させた際の画面表示例である。
【図６】本発明の一実施形態に関るプロジェクト画面にシェイプを配置した際の画面表示例である。
【図７】本発明の一実施形態に関るフィードバック箇所についての投稿を行う際の投稿画面の画面表示例である。
【図８】本発明の一実施形態に関る投稿されたフィードバック投稿の一覧及び、フィードバック表示画面を表示した際の画面表示例である。
【図９】本発明の一実施形態に関るフィードバック表示画面を表示させた際の画面表示例である。
【図１０】本発明の一実施形態に関るプロジェクトの配信からフィードバック投稿までの流れを示すフローチャートである。
【発明を実施するための形態】
【００２２】
以下、添付図面を参照して、本発明の一実施形態について説明する。図面には好ましい実施形態が示されている。しかし、多くの異なる形態で実施されることが可能であり、本明細書に記載される実施形態に限定されない。
【００２３】
例えば、本実施形態では開発支援システムの構成、動作などについて説明するが、同様の構成の方法、装置、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００２４】
図１は、本発明の一実施形態に係る開発支援システムの概要を示す図である。開発支援システム１は、記憶部２と、開発支援サーバ３と、開発を行うユーザが利用する開発者端末４（ユーザ端末）と、プロジェクト画面に関するフィードバックを行うユーザが利用する携帯情報端末５と、を備えている。開発支援サーバ３と、開発者端末４、及び携帯情報端末５がネットワークＮを介して通信可能に構成される。
【００２５】
図２は、開発支援サーバ３のハードウェア構成を示す図である。ＣＰＵ３０１には、メモリ３０２、ハードディスク３０３、入力装置３０４、出力装置３０５、通信装置３０６が接続されている。ハードディスク３０３には、オペレーティングシステム（ＯＳ）３０７、開発管理プログラム３０８などが記録されている。開発管理プログラム３０８は、オペレーティングシステム（ＯＳ）３０７と協調してその機能を発揮するものである。
【００２６】
開発者端末４は、開発支援システム１の管理等を行う為の装置である。開発支援システム１の管理等を行う為の装置は、必ずしもプロジェクトの開発に利用される装置に限られない。開発者端末４は、ＣＰＵ、メモリ、ハードディスク、入力装置、出力装置、通信装置が接続されている。ハードディスクには、オペレーティングシステム（ＯＳ）、開発支援プログラムなどが記録されている。開発支援プログラムは、オペレーティングシステムと協調してその機能を発揮するものである。本実施形態では、開発者端末４は汎用のＰＣとして説明する。
【００２７】
携帯情報端末５は、登録されたプロジェクトに対するフィードバックを行う為の装置である。ＣＰＵ、メモリ、ハードディスク、入力装置、出力装置、通信装置が接続されている。ハードディスクには、オペレーティングシステム（ＯＳ）、開発支援プログラムなどが記録されている。開発支援プログラムは、オペレーティングシステムと協調してその機能を発揮するものである。本実施形態では、携帯情報端末５は、操作入力部（入力装置）及び表示装置（出力装置）を兼ねたタッチパネル及び、加速度センサや角速度センサ等の運動センサ（入力装置）を備えた汎用のスマートフォンとして説明する。
【００２８】
なお、プロジェクトに対するフィードバックは必ずしもこの携帯情報端末５からのみ行われる必要はない。フィードバックを行う装置として、例えば、開発者端末４やその他のＰＣ、スマートフォン、タブレット端末、ゲーム装置、等アプリケーションの実行やウェブページの閲覧を行う装置を適善採用することができる。
【００２９】
図３は、本発明の実施形態に係る開発支援システム１の機能ブロック構成の一例を示す図である。開発支援サーバ３は、プロジェクト管理手段３１と、ユーザ管理手段３２と、配信先受付手段３３と、配信管理手段３４と、投稿管理手段３５と、を備え、記憶部２と通信可能に構成されている。開発者端末４は、プロジェクト登録手段４１と、配信先設定手段４２と、配信要求手段４３と、投稿表示手段４４と、プロジェクト導入手段４５と、プロジェクト表示手段４６と、指定手段４７と、メッセージ入力手段４８と、投稿手段４９と、を備えている。携帯情報端末５は、プロジェクト導入手段５１と、プロジェクト表示手段５２と、指定手段５３と、メッセージ入力手段５４と、投稿手段５５と、投稿表示手段５６と、を備えている。
【００３０】
プロジェクト管理手段３１は、プロジェクト登録手段４１よりプロジェクトの登録を受け付ける。プロジェクト管理手段３１に、プロジェクト名やプロジェクトのバージョン情報、プロジェクトに関するコメント共に、ＵＲＬやソースファイル、アプリケーションを格納したファイル（ＩＰＡファイルやＡＰＫファイル等）等をアップロードすることでプロジェクトが登録される。
【００３１】
なお、アップロードを行うコンピュータは、開発者端末４に限らず、サーバやＣＩ（Continuous Integration）ツールを備えた別のコンピュータ等から行われても構わない。
【００３２】
ユーザ管理手段３２は、配信先となるユーザのユーザ情報の登録を受け付ける。ユーザ情報は、ユーザ名、ユーザＩＤ、パスワード、サムネイル画像、１以上の装置情報、を有している。装置情報とは、登録されたプロジェクトを表示させ、そのフィードバックを行う為の装置に関する情報であり、例えば端末の固有番号、搭載されたＯＳ、ＯＳのバージョン等の情報を有している。
【００３３】
配信先設定手段４２は、ユーザ管理手段３２によって登録されたユーザの内、当該プロジェクトを配信する配信先の管理要求を行う。配信先受付手段３３は、配信先設定手段４２による配信先の管理要求を受取り、当該プロジェクトの配信先を設定する。配信管理手段３４は、配信要求手段４３より受け取ったプロジェクトの配信要求と、配信先設定手段４２より受け取った当該プロジェクトの配信先に基づいて、プロジェクトの配信を行う。
【００３４】
プロジェクト導入手段５１は、配信されたプロジェクト（アプリケーション）をインストールし、携帯情報端末５上で起動可能にする。起動可能となったプロジェクト（アプリケーション）は、プロジェクト表示手段５２によって起動され、プロジェクト画面が表示される。
【００３５】
ＵＲＬを用いて登録され、配信されたプロジェクト（ウェブページ）は、配信先として指定されたユーザ（携帯情報端末５）のプロジェクト一覧に自動的に追加され、閲覧可能となる。閲覧可能となったプロジェクト（ウェブ）のプロジェクト画面は、プロジェクト表示手段５２によって表示される。
【００３６】
携帯情報端末５等フィードバックを行う端末には登録されたプロジェクトをすべて表示させ、プロジェクト導入手段５１によるプロジェクトのインストールの可否等を制限することで、配信管理手段３４によって登録されたプロジェクトの配信先の管理を行っても構わない。
【００３７】
図４は、携帯情報端末５に配信されたプロジェクトの一覧を表示した際の画面表示例である。プロジェクト一覧画面Ｗ１には、登録されたプロジェクト（Ｗ１１〜Ｗ１４）が一覧で表示されている。
【００３８】
プロジェクト一覧画面Ｗ１中には各プロジェクトのサムネイル画像、プロジェクト名や種類（ウェブページ又はアプリケーション並びにそのＯＳ）、バージョン情報、登録日時、登録されたコメント等のプロジェクト情報（Ｗ１１ａ〜Ｗ１４ａ）、フィードバック表示要求部（Ｗ１１ｂ〜Ｗ１４ｂ）、プロジェクト表示要求部（Ｗ１１ｃ〜Ｗ１４ｃ）、共有管理部（Ｗ１１ｄ〜Ｗ１４ｄ）が表示されている。フィードバック表示要求部（Ｗ１１ｂ〜Ｗ１４ｂ）として、プロジェクトに関する総フィードバック数と、未確認のフィードバック数が表示されている。
【００３９】
プロジェクト表示手段５２は、登録又は登録並びに導入されたプロジェクトのプロジェクト画面を表示させる。指定手段５３は、表示したプロジェクト画面中におけるフィードバック箇所の指定入力を受け付ける。
【００４０】
本実施形態における指定手段５３でのフィードバック箇所の指定処理は、表示したプロジェクト画面中におけるフィードバック箇所を静止画像（スクリーンショット）、又は動画像によって画像化する処理と、画像中の任意の箇所にシェイプを配置する処理と、を有する。
【００４１】
図５（ａ）は、プロジェクト表示手段５２を用いて、携帯情報端末５でプロジェクト表示画面Ｗ２を表示させた際の画面表示例である。プロジェクト一覧画面Ｗ１において、プロジェクト表示要求部Ｗ１１ｃ〜Ｗ１４ｃを選択することで、選択されたプロジェクトのプロジェクト表示画面Ｗ２が表示される。プロジェクト表示画面Ｗ２は、プロジェクト画面Ｗ２１と、フィードバック箇所指定部Ｗ２２と、シェイプ選択部Ｗ２３と、を備えている。
【００４２】
プロジェクト画面Ｗ２１は、スクロールや拡大表示、ページ遷移（すすむ、戻る）を行うことができ、当該アプリケーションやウェブページの操作性等の確認に利用される。フィードバック箇所指定部Ｗ２２において、所望の取得方法を選択することで、プロジェクト画面中のフィードバック箇所が静止画像又は動画像（以下、画像とする）として取得させる。
【００４３】
プロジェクト画面Ｗ２１をスクロールやページ遷移などさせて確認し、フィードバック箇所指定部Ｗ２２（図示例におけるカメラマーク又はビデオマーク）を選択することで、フィードバック箇所の画像を取得する。本実施形態では、更に、運動センサによって検知される携帯情報端末５を振る動作や、タッチパネルによって検知される２点以上の指でのスワイプ動作、プロジェクト画面Ｗ２１のウィンドウ外での入力等、プロジェクト画面Ｗ２１のスクロールやページ遷移処理に干渉しない入力を行うことでも、画像の取得を行うことができる。
【００４４】
シェイプ選択部Ｗ２３は、取得したフィードバック箇所の画像に、シェイプを配置する。図５（ｂ）は、フィードバック箇所の静止画像を取得し、シェイプを配置した際の画面表示例である。シェイプ選択部Ｗ２３では、画像に配置するシェイプの種類や色を指定することができる。また、プロジェクト画面Ｗ２１に配置されたシェイプＳＨは、シェイプ中の所定の位置を操作することができ、任意の大きさや向きに調整することができる。
【００４５】
本実施形態では、シェイプ選択部Ｗ２３で選択可能なシェイプは、多角形（図示例では四角形）の領域を指定する為の多角形シェイプ、円形の領域を指定する為の円形シェイプおよび、点を指定する為の点指定シェイプ（図示例では矢印型）の３種類から選択することができる。
【００４６】
図６は、プロジェクト画面Ｗ２１にそれぞれのシェイプを配置した際の画面表示例である。図６（ａ）は、プロジェクト画面Ｗ２１に多角形シェイプＳＨを配置した場合、図６（ｂ）は、プロジェクト画面Ｗ２１に円形シェイプＳＨを配置した場合、図６（ｃ）は、プロジェクト画面Ｗ２１に点指定シェイプＳＨを配置した場合を示す図である。
【００４７】
指定手段５３によって指定されたフィードバック箇所は、メッセージ入力手段５４によって受け付けられたメッセージおよび、入力されたフィードバックの分類情報と紐づけられ、投稿手段５５によって投稿される。
【００４８】
図７は、シェイプ配置後のフィードバック箇所についての投稿を行う際の投稿画面の画面表示例である。投稿画面Ｗ３は、メッセージ入力部Ｗ３１と、フィードバック箇所表示部Ｗ３２と、分類情報入力部Ｗ３３と、を備えている。
【００４９】
メッセージ入力部Ｗ３１は、フィードバック箇所に関するメッセージを入力する領域である。フィードバック箇所表示部Ｗ３２は、指定手段５３によって指定したフィードバック箇所の画像並びに配置されたシェイプを表示する領域である。画像が静止画像の場合、フィードバック箇所表示部Ｗ３２を選択することで静止画像が拡大される。画像が動画像の場合、フィードバック箇所表示部Ｗ３２を選択することで動画像を再生することができる。分類情報入力部Ｗ３３は、フィードバックの種別を指定する為にメッセージと併せて指定される。
【００５０】
メッセージ入力手段５４を用いて、投稿されたフィードバックについてのメッセージのやり取りを行うことができる。投稿管理手段３６は、投稿手段５５によって投稿されたフィードバック及び、フィードバック投稿に対してなされたメッセージの管理を行う。投稿表示手段４４及び投稿表示手段５６は、投稿されたフィードバック及び、フィードバック投稿に対してなされたメッセージを表示する。
【００５１】
図８（ａ）は、携帯情報端末５に、投稿されたフィードバック投稿の一覧を表示した際の画面表示例である。フィードバック一覧画面Ｗ４には、投稿表示部（Ｗ４１、Ｗ４２）が一覧で表示されている。
【００５２】
フィードバック一覧画面Ｗ４中には、投稿者及び投稿されたメッセージ、投稿日時等を表示したフィードバック情報表示部（Ｗ４１ａ、Ｗ４２ａ）、分類情報入力部Ｗ３３で入力された分類情報を表示した分類表示部（Ｗ４１ｂ、Ｗ４２ｂ）、フィードバック投稿に関する反応表示部（Ｗ４１ｃ、Ｗ４２ｃ）、フィードバック箇所の指定箇所表示部（Ｗ４１ｄ、Ｗ４２ｄ）が表示されている。反応表示部（Ｗ４１ｃ、Ｗ４２ｃ）には、フィードバックに関する反応数と、返答メッセージ数と、が表示されている。
【００５３】
図８（ｂ）は、携帯情報端末５に、フィードバック表示画面Ｗ５を表示させた際の画面表示例である。プロジェクト一覧画面Ｗ１において、フィードバック表示要求部Ｗ１１ｂ〜Ｗ１４ｂを選択することで、選択されたプロジェクトのフィードバック表示画面Ｗ５が表示される。フィードバック表示画面Ｗ５は、フィードバック箇所の指定箇所表示部Ｗ５１と、投稿表示部Ｗ５２と、メッセージ入力部Ｗ５３と、メッセージ表示部Ｗ５４と、を備えている。
【００５４】
投稿表示部Ｗ５２は、投稿者及び投稿されたメッセージ、投稿日時等を表示したフィードバック情報表示部Ｗ５２ａと、分類情報入力部Ｗ３３で入力された分類情報を表示した分類表示部Ｗ５２ｂと、フィードバック投稿に関する反応表示部Ｗ５２ｃと、を備えている。
【００５５】
メッセージ表示部Ｗ５４は、投稿者及びメッセージ入力部Ｗ５３より投稿されたメッセージ、投稿日時を表示したメッセージ情報表示部Ｗ５４ａを備えている。
【００５６】
開発者端末４は、携帯情報端末５と同様に、投稿表示手段４４と、プロジェクト導入手段４５と、プロジェクト表示手段４６と、指定手段４７と、メッセージ入力手段４８と、投稿手段４９と、を備えており、フィードバックの投稿及びフィードバックに対するメッセージの投稿を行うことができる。
【００５７】
図９は、開発者端末４で実行されるブラウザアプリケーションを介して、フィードバック表示画面Ｗ６を表示させた際の画面表示例である。フィードバック表示画面Ｗ６は、プロジェクト一覧を表示したプロジェクト一覧表示部Ｗ６１と、プロジェクト一覧表示部Ｗ６１で選択したプロジェクトに関するフィードバック投稿の一覧を表示するフィードバック一覧表示部Ｗ６２と、フィードバック一覧表示部Ｗ６２で選択したフィードバック投稿を表示するフィードバック投稿表示部Ｗ６３と、フィードバック一覧表示部Ｗ６２で選択したフィードバック投稿の投稿者及び、プロジェクト一覧表示部Ｗ６１で選択したプロジェクトが配信された配信先に関わる配信先情報表示部Ｗ６４と、を備えている。
【００５８】
プロジェクト一覧表示部Ｗ６１は、プロジェクト登録手段４１を用いてプロジェクトを登録する為のプロジェクト登録部Ｗ６１ａと、登録されたプロジェクト表示部Ｗ６１ｂと、完了したプロジェクトをアーカイブして非表示とするアーカイブ処理部Ｗ６１ｃと、を備えている。フィードバック一覧表示部Ｗ６２は、投稿表示部（Ｗ６２ａ、Ｗ６２ｂ）を備えている。
【００５９】
フィードバック投稿表示部Ｗ６３は、フィードバック箇所の指定箇所表示部Ｗ６３ａと、投稿表示部Ｗ６３ｂと、メッセージ入力部Ｗ６３ｃと、メッセージ表示部Ｗ６３ｄと、フィードバック投稿に対する作業状況を分類指定部Ｗ６３ｅと、を備えている。分類指定部Ｗ６３ｅから、フィードバック投稿に対する作業状況を管理することができる。フィードバック一覧表示部Ｗ６２で表示される投稿表示部は、この作業状況や、フィードバックの分類情報に基づいて表示を切り替えたり、検索したりできる。
【００６０】
配信先情報表示部Ｗ６４は、フィードバック投稿を行ったユーザのユーザ情報表示部Ｗ６４ａと、フィードバック投稿を行ったユーザの端末情報を表示する端末情報表示部Ｗ６４ｂと、フィードバック投稿が行われたプロジェクトの配信先を表示する配信先表示部Ｗ６４ｃと、を備えている。
【００６１】
次いで、図１０を用いて、プロジェクトの配信からフィードバック投稿までの全体の流れについて説明する。
【００６２】
新規プロジェクトを配信する場合、プロジェクト登録部Ｗ６１ａを選択し、プロジェクト登録手段４１を用いて新規プロジェクトを登録する（ステップＳ１でＹ）。新規プロジェクトは、アプリケーションを格納したファイルやウェブページのＵＲＬ等をアップロードすることで登録される（ステップＳ２）。また、配信先設定手段４２を用いて配信先を設定する（ステップＳ３）。そして配信要求手段４３を用いて配信を実行することで、プロジェクトが所定の配信先に配信される（ステップＳ４）。
【００６３】
次に、フィードバックを行うプロジェクトが携帯情報端末５に導入されていない場合（ステップＳ５でＹｅｓ）、プロジェクトを導入する（ステップＳ６）。
【００６４】
次に、プロジェクトが導入された、又は導入が必要ないプロジェクト（ＵＲＬに基づいて配信されるウェブページなど）について、フィードバックを投稿する（ステップＳ７でＹｅｓ）。フードバックの投稿には、まず、指定手段４７又は指定手段５３を用いてフィードバック箇所の指定を行う（ステップＳ８）。フィードバック箇所の指定ができたなら、メッセージ入力手段４８又はメッセージ入力手段５４を用いて、フィードバックに関するメッセージとその分類情報を入力し（ステップＳ９）、投稿手段４９又は投稿手段５５を用いてフィードバックの投稿を行う（ステップＳ１０）。
【００６５】
プロジェクトについてのフィードバック等がすべて完了し、プロジェクトを表示する必要がなくなれば（ステップＳ１１でＹｅｓ）、開発者端末４等からアーカイブ処理部Ｗ６１ｃを選択し、プロジェクトをアーカイブして非表示とする（ステップＳ１２）。
【００６６】
本発明によれば、プロジェクト画面中の所望の箇所についてフィードバックを投稿し、その箇所に対する修正や改良の指示、アイデアの提示等を行うことができる。
【００６７】
また、プロジェクト画面中のフィードバック箇所やフィードバックの目的を、より適切に、わかりやすく指定してフィードバックを実施することができる。
【００６８】
また、フィードバック箇所を確認しながらメッセージの入力を行うことができ、メッセージの入力性を高めることができる。また、フィードバック箇所の指定を行うユーザによる特定の動作によってフィードバック箇所の指定を行うことができ、ユーザの操作性を高めることができる。
【００６９】
また、投稿されたフィードバックを確認することができ、投稿者は、フィードバックに対するユーザからの返答や共感など、フィードバックに対する反応を受け取ることでフィードバック作業のモチベーションを高めることができ、フィードバックに基づいてプロジェクトの修正等を実施するユーザは、フィードバックされた内容に対する作業状況を分類することで、フィードバックされた内容の管理を効果的に行うことができる。
【符号の説明】
【００７０】
１  開発支援システム
２  記憶部
３  開発支援サーバ
３１  プロジェクト管理手段
３２  ユーザ管理手段
３３  配信先受付手段
３４  配信管理手段
３５  投稿管理手段
３０１  ＣＰＵ
３０２  メモリ
３０３  ハードディスク
３０４  入力装置
３０５  出力装置
３０６  通信装置
３０７  オペレーティングシステム（ＯＳ）
３０８  開発管理プログラム
４  開発者端末
４１  プロジェクト登録手段
４２  配信先設定手段
４３  配信要求手段
４４  投稿表示手段
４５  プロジェクト導入手段
４６  プロジェクト表示手段
４７  指定手段
４８  メッセージ入力手段
４９  投稿手段
５  携帯情報端末
５１  プロジェクト導入手段
５２  プロジェクト表示手段
５３  指定手段
５４  メッセージ入力手段
５５  投稿手段
５６  投稿表示手段
Ｎ  ネットワーク
ＳＨ  シェイプ
Ｗ１  プロジェクト一覧画面
Ｗ１１ａ、Ｗ１２ａ、Ｗ１３ａ、Ｗ１４ａ  プロジェクト情報
Ｗ１１ｂ、Ｗ１２ｂ、Ｗ１３ｂ、Ｗ１４ｂ  フィードバック表示要求部
Ｗ１１ｃ、Ｗ１２ｃ、Ｗ１３ｃ、Ｗ１４ｃ  プロジェクト表示要求部
Ｗ１１ｄ、Ｗ１２ｄ、Ｗ１３ｄ、Ｗ１４ｄ  共有管理部
Ｗ２  プロジェクト表示画面
Ｗ２１  プロジェクト画面
Ｗ２２  フィードバック箇所指定部
Ｗ２３  シェイプ選択部
Ｗ３  投稿画面
Ｗ３１  メッセージ入力部
Ｗ３２  フィードバック箇所表示部
Ｗ３３  分類情報入力部
Ｗ４  フィードバック一覧画面
Ｗ４１、Ｗ４２  投稿表示部
Ｗ４１ａ、Ｗ４２ａ  フィードバック情報表示部
Ｗ４１ｂ、Ｗ４２ｂ  分類表示部
Ｗ４１ｃ、Ｗ４２ｃ  反応表示部
Ｗ４１ｄ、Ｗ４２ｄ  指定箇所表示部
Ｗ５  フィードバック表示画面
Ｗ５１  指定箇所表示部
Ｗ５２  投稿表示部
Ｗ５２ａ  フィードバック情報表示部
Ｗ５２ｂ  分類表示部
Ｗ５２ｃ  反応表示部
Ｗ５３  メッセージ入力部
Ｗ５４  メッセージ表示部
Ｗ５４ａ  メッセージ情報表示部
Ｗ６  フィードバック表示画面
Ｗ６１  プロジェクト一覧表示部
Ｗ６１ａ  プロジェクト登録部
Ｗ６１ｂ  プロジェクト表示部
Ｗ６１ｃ  アーカイブ処理部
Ｗ６２  フィードバック一覧表示部
Ｗ６２ａ、Ｗ６２ｂ  投稿表示部
Ｗ６３  フィードバック投稿表示部
Ｗ６３ａ  指定箇所表示部
Ｗ６３ｂ  投稿表示部
Ｗ６３ｃ  メッセージ入力部
Ｗ６３ｄ  メッセージ表示部
Ｗ６３ｅ  分類指定部
Ｗ６４  配信先情報表示部
Ｗ６４ａ  ユーザ情報表示部
Ｗ６４ｂ  端末情報表示部
Ｗ６４ｃ  配信先表示部
【図１】
2018190296.tif 000003
【図２】
2018190296.tif 000004
【図３】
2018190296.tif 000005
【図４】
2018190296.tif 000006
【図５】
2018190296.tif 000007
【図６】
2018190296.tif 000008
【図７】
2018190296.tif 000009
【図８】
2018190296.tif 000010
【図９】
2018190296.tif 000011
【図１０】
2018190296.tif 000012